(57)【要約】  パイロット干渉除去と、これに続く選択干渉除去の組合せ利用により順方向リンクについてのセクタ間干渉を等化し、干渉除去を行うことを容易にするシステム及び方法が説明される。選択干渉除去は、例えば、ランク縮約最小平均二乗誤差マルチユーザー検出受信機を用いて行うことができる。システム行列を上記組み合わせた除去プロトコルによって縮小することができ、高速アダマール変換を行うことでこれをさらに縮小することができる。これは、行例の複雑さを最小化し、ならびに該システム行列に関連する計算オーバーヘッドを最小化することができる。
2010521121.tif 000002
【特許請求の範囲】
【請求項１】
セクタ間干渉を緩和する方法であって、
受信信号におけるパイロット系列についてパイロット干渉除去技術を行うこと；及び
パイロット干渉除去の後に選択干渉除去技術を行うことを含む方法。
【請求項２】
信号が受信される各セクタについてチャネルを推定することをさらに含む請求項１の方法。
【請求項３】
各セクタに関して、該セクタのチャネル推定を用いて１２８チップ系列符号の畳み込みをすることをさらに含む請求項２の方法。
【請求項４】
前記セクタについて前記畳み込みがなされた値を合計すること、及び前記受信信号から前記合計を減ずることをさらに含む請求項３の方法。
【請求項５】
前記セクタに関して、ウォルシュビンを評価するとともにランク付けすることをさらに含む請求項４の方法。
【請求項６】
前記セクタのそれぞれのチャネル推定を用いてユーザー装置の符号系列の畳み込みをすることをさらに含む請求項５の方法。
【請求項７】
それぞれのセクタについてのチャネル推定を用いて前記信号において受信された他の符号系列の畳み込みをすることをさらに含む請求項６の方法。
【請求項８】
最小平均二乗誤差出力推定を評価することをさらに含む請求項７の方法。
【請求項９】
前記パイロット干渉除去技術を行うことは、前記受信信号から既知パイロット系列エネルギーを減じることを含む請求項１の方法。
【請求項１０】
前記選択干渉除去技術を行うことは、他のユーザー装置の符号系列に比較して強い信号強度を持つユーザー装置の数に関して、前記受信信号における符号系列のサブセットをキャンセルすることを含む請求項９の方法。
【請求項１１】
システム行列Ｔを１２８×１２８行列からＹ×１２８チップ行列に縮小することをさらに含み、Ｙは、前記比較的強い信号強度を持つユーザー装置の数である請求項１０の方法。
【請求項１２】
前記行列をＹ×１２８行列からＹ×Ｙ行列に縮小し、処理オーバーヘッドを縮小するために高速アダマール変換を実行することをさらに含む請求項１１の方法。
【請求項１３】
前記縮小された行列を処理すること、及び前記ユーザー装置について意図された符号系列を復号することをさらに含む請求項１２の方法。
【請求項１４】
無線通信環境におけるセクタ間干渉の削減を容易にする装置であって、
ユーザー装置に送信を行っているセクタによって利用されるパイロット系列に関係する情報を記憶するメモリ；
前記メモリに記憶された情報を分析し、ユーザー装置符号系列の処理のためのシステム行列を縮小するプロセッサ；及び
前記プロセッサにつながれ、少なくとも１つのセクタ送信機から信号を受信するＭＵＤ受信機を具備する装置。
【請求項１５】
前記ユーザー装置が信号を受信する複数のセクタの各々についてチャネルを推定するチャネル推定コンポーネントをさらに具備する請求項１４の装置。
【請求項１６】
前記メモリに記憶されたパイロット系列を評価し、前記受信信号エネルギーから関連するエネルギーを減じて前記システム行列からパイロット系列をキャンセルするパイロット干渉除去コンポーネントをさらに具備する請求項１５の装置。
【請求項１７】
前記ＭＵＤ受信機と動作可能なように関連付けられ、干渉しているＮ個（Ｎは整数である）のユーザー装置に関連する信号エネルギーをキャンセルする選択干渉除去コンポーネントをさらに具備する請求項１６の装置。
【請求項１８】
前記ＭＵＤ受信機は、前記受信信号から前記パイロット系列及びＮ個の干渉ユーザー装置系列を引いたものの少なくとも一部に基づいて、擬似縮小行列を生成する請求項１７の装置。
【請求項１９】
前記プロセッサは、縮小されたシステム行列を生成するために前記擬似縮小行列について高速アダマール変換を行う請求項１８の装置。
【請求項２０】
前記プロセッサは前記縮小されたシステム行列を処理して前記ユーザー装置に関して意図された情報を復号する請求項１９の装置。
【請求項２１】
前記ユーザー装置は、携帯電話、スマートフォン、ＰＤＡ、ラップトップ、携帯型の通信装置、携帯型のコンピューティング装置、衛星ラジオ、及び全地球測位システムデバイスの少なくともいずれかである請求項１４の装置。
【請求項２２】
無線通信環境におけるセクタ間干渉の緩和を容易にする装置であって、
ユーザー装置で受信された信号についてパイロット干渉除去プロトコルを行うための手段；及び
前記ユーザー装置により受信された信号について、選択干渉除去プロトコルを用いるための手段とを具備する装置。
【請求項２３】
前記受信信号における符号系列に基いてシステム行列を生成するための手段をさらに具備する請求項２２の装置。
【請求項２４】
キャンセルされたパイロット系列及び選択的にキャンセルされた符号系列に関連するエネルギーを減じることにより、システム行列を縮小するための手段をさらに具備する請求項２３の装置。
【請求項２５】
前記システム行列をさらに縮小するために高速アダマール変換を行うための手段をさらに具備する請求項２４の装置。
【請求項２６】
前記ユーザー装置についての符号系列を復号するために前記縮小されたシステム行列を処理するための手段をさらに具備する請求項２５の装置。
【請求項２７】
ユーザー装置が信号を受信するセクタに関連する既知パイロット系列の少なくとも一部に基づいて、パイロット干渉除去プロトコルを行うこと；及び
前記受信信号から符号系列を相殺するために選択干渉除去技術を行うためのコンピュータ実行命令を記憶したコンピュータ可読媒体
【請求項２８】
パイロット干渉除去及び選択干渉除去を経た後の受信信号少なくとも一部に基づいてシステム行列を生成するための命令をさらに具備する請求項２７のコンピュータ可読媒体。
【請求項２９】
縮小されたシステム行列を生成するために前記システム行列について高速アダマール変換を行うための命令をさらに含む請求項２８のコンピュータ可読媒体
【請求項３０】
前記ユーザー装置について意図された前記受信信号の一部を評価するために前記縮小されたシステム行列を処理するための命令をさらに具備する請求項２９のコンピュータ可読媒体。
【請求項３１】
無線通信環境における干渉の削減のための命令を実行するプロセッサであって、該命令は、
ユーザー装置が信号を受信するセクタについて既知パイロット系列を用いてパイロット干渉除去プロトコルを行うこと；及び
前記受信信号から選択された干渉符号系列を相殺するために選択干渉除去技術を実行することを含むプロセッサ。
【請求項３２】
パイロット干渉除去及び選択干渉除去を経た後の前記受信信号の少なくとも一部に基づいて、システム行列を生成するための命令をさらに具備する請求項３１のプロセッサ。
【請求項３３】
前記システム行列について、縮小されたシステム行列を生成するために高速アダマール変換を行うための命令をさらに具備する請求項３２のプロセッサ。
【請求項３４】
前記ユーザー装置について意図された前記受信信号における符号系列を評価するために、前記縮小されたシステム行列を処理するための命令をさらに具備する請求項３３のプロセッサ。
【発明の詳細な説明】
【技術分野】
【０００１】
以下の説明は、一般に無線通信に関し、特に、干渉除去技術の組合せを用いることにより計算オーバーヘッド及びセクタ間干渉を削減することに関する。
【背景技術】
【０００２】
無線通信システムは、これにより世界的に大多数の人々が通信する普及手段になった。無線通信装置は、消費者ニーズを満たし、かつポータビリティ及び利便性を向上するためにより小さく、そしてより強力になった。携帯電話機のようなモバイルデバイスにおける処理パワーの伸びは、無線ネットワーク送信システムに関する要求増を招いている。そのようなシステムは、典型的に、その上で通信するセルラー装置としては容易にアップデートされない。モバイルデバイス性能が拡大するにつれて、新規かつ向上した無線装置の性能を完全に利用できるようにしながら旧無線ネットワークシステムを維持することは困難であるかも知れない。
【０００３】
符号分割に基いた技術では、典型的に、ある範囲で常に利用可能な幾つかの周波数以上のデータを送信する。一般に、データはデジタル化され、利用可能帯域幅に拡散され、複数のユーザーをチャネルにオーバーレイすることができる。また、それぞれのユーザーにユニークな系列符号を割当てることができる。ユーザーは、同じ広帯域スペクトル塊において送信することができ、各ユーザーの信号はそのそれぞれのユニークな拡散符号によって全帯域幅に拡散される。この技術は、１つ又は複数のユーザーが同時に送信し受信することができるというシェアリングを提供することができる。そのようなシェアリングは、ユーザーのビットのストリームを偽似乱数法によってきわめて広帯域のチャネルにわたり符号化し拡散するスペクトラム拡散デジタル変調によって実現することができる。受信機は、関連するユニークな系列符号を認識するように設計され、特定ユーザーのための首尾一貫したビットを収集するためにランダム化を元に戻す。
【０００４】
（例えば周波数、時間及び符号分割技術を用いる）典型的な無線通信ネットワークは、カバレッジエリアを提供する１つ又は複数の基地局と、該カバレッジエリア内でデータを送信し受信することができる１つ又は複数のモバイル（例えば無線通信）端末とを含む。典型的な基地局は、ブロードキャスト、マルチキャスト、及び／又はユニキャストサービスのための複数のデータストリームを同時に送信することができる。データストリームは、モバイル端末にとって単独の受信対象となりえるデータのストリームである。当該基地局カバレッジエリア内のモバイル端末は、１つ、２つ以上、又は合成ストリームによって運ばれたすべてのデータストリームを受信対象とし得る。同様に、モバイル端末は基地局又は別のモバイル端末へデータを送信することができる。基地局とモバイル端末の間、又はモバイル端末間のそのような通信は、チャネル変動及び／又は干渉電力変動により悪化し得る。例えば上記変動は、基地局スケジューリング、パワー制御、及び／又は１つ又は複数のモバイル端末のためのレート予測に影響することがある。
【０００５】
従来のシステム及び／又は方法は計算コストが高く、セクタ間干渉がある状態で順方向リンク送信を復号する場合、必要以上に高い処理リソースコミットメントを要する。したがって、当該技術分野では、無線ネットワークシステムにおけるスループットを向上し、及び／又は処理オーバーヘッドを縮小するというシステム及び／又は方法の未解決の要求がある。
【発明の概要】
【０００６】
下記は１つ又は複数の実施形態の基本的了解事項を提供するために単純化された、かかる実施形態の要約を示す。この要約は予期される全ての実施形態の広範囲な概観ではなく、全ての実施形態の重要又は重大な構成要素を同定することや、いずれか又は全ての実施形態の範囲を線引きすることは意図されていない。その唯一の目的は、後に示されるより詳細な説明の前ぶれとして、１つ又は複数の実施形態のいくつかの概念を簡素な形で示すことにある。
【０００７】
１つ又は複数の実施形態及び対応する開示に従って、無線通信環境における順方向リンク上でセクタ間干渉等化及び干渉除去を行うことに関連して種々の態様が説明される。パイロット干渉除去は既知パイロット系列に基いて行うことができ、続いて、１２８×１２８システム行列の縮小のため、干渉しているユーザー装置の符号系列をキャンセルするための選択干渉除去を行うことができる。行列は、高速アダマール変換を行うことによってさらに縮小することができる。これは、干渉を軽減しつつ、ユーザー装置についての符号系列の復号に関連する処理オーバーヘッドを縮小することを容易にする。
【０００８】
別の態様によれば、無線通信環境において順方向リンクについてのセクタ間干渉を軽減する方法は、受信信号におけるパイロット系列についてパイロット干渉除去技術を行うこと、及びパイロット干渉除去の後に選択干渉除去技術を行うことを含む。該方法は、信号が受信される各セクタのチャネルを推定すること、各セクタのチャネル推定により１２８チップ系列符号の畳み込みをすること、該セクタについて、該畳み込まれた値を合計すること、及びこの合計を上記受信信号から減じることをさらに含んでもよい。さらに、該方法は、前記セクタのためのウォルシュビンを評価しランク付けすること、前記セクタのそれぞれのチャネル推定を用いてユーザー装置の符号系列の畳み込みをすること、それぞれのセクタについてのチャネル推定を用いて前記信号において受信された他の符号系列の畳み込みをすること、及び前記受信信号について最小平均二乗誤差出力推定を評価することを含んでもよい。
【０００９】
別の態様によれば、無線通信環境におけるセクタ間干渉の削減を容易にする装置は、ユーザー装置に送信を行っているセクタによって利用されるパイロット系列に関係する情報を記憶するメモリと、前記メモリに記憶された情報を分析し、ユーザー装置符号系列の処理のためのシステム行列を縮小するプロセッサと、前記プロセッサにつながれ、少なくとも１つのセクタ送信機から信号を受信するＭＵＤ受信機を具備する。該装置は、前記ユーザー装置が信号を受信する複数のセクタの各々についてチャネルを推定するチャネル推定コンポーネントと、前記メモリに記憶されたパイロット系列を評価し、前記受信信号エネルギーから関連するエネルギーを減じて前記システム行列からパイロット系列をキャンセルするパイロット干渉除去コンポーネントとをさらに具備してもよい。更に、該装置は前記ＭＵＤ受信機と動作可能なように関連付けられ、干渉しているＮ個（Ｎは整数である）のユーザー装置に関連する信号エネルギーをキャンセルする選択干渉除去コンポーネントを具備してもよい。前記ＭＵＤ受信機は、前記受信信号から前記パイロット系列及びＮ個の干渉ユーザー装置系列を引いたものの少なくとも一部に基づいて、擬似縮小行列を生成することができ、また、プロセッサは、縮小されたシステム行列を生成するために擬似縮小行列について高速アダマール変換を行うことができる。それは、信号復号及びその他同種のものに関連した計算オーバーヘッドを縮小する。
【００１０】
さらに別の態様によると、無線通信環境におけるセクタ間干渉の緩和を容易にする装置は、ユーザー装置で受信された信号についてパイロット干渉除去プロトコルを行うための手段と、前記ユーザー装置により受信された信号について、選択干渉除去プロトコルを用いるための手段とを具備する。装置は、前記受信信号における符号系列に基いてシステム行列を生成するための手段と、キャンセルされたパイロット系列及び選択的にキャンセルされた符号系列に関連するエネルギーを減じることにより、システム行列を縮小するための手段と、システム行列をさらに縮小するために高速アダマール変換を行うための手段とをさらに具備することができる。
【００１１】
さらに別の態様は、コンピュータ実行命令を記憶したコンピュータ可読媒体に関する。該命令は、ユーザー装置が信号を受信するセクタに関連する既知パイロット系列の少なくとも一部に基づいて、パイロット干渉除去プロトコルを行うこと、及び前記受信信号から符号系列を相殺するために選択干渉除去技術を行うための命令である。該コンピュータ可読媒体は、さらに、パイロット干渉除去及び選択干渉除去を経た後の前記受信信号の少なくとも一部に基づいて、システム行列を生成するための命令、前記システム行列について、縮小されたシステム行列を生成するために高速アダマール変換を行うための命令、前記ユーザー装置について意図された受信信号の一部を評価するために、前記縮小されたシステム行列を処理するための命令を含んでもよい。
【００１２】
さらなる別の態様は、命令を実行するプロセッサに関する。該命令は、ユーザー装置が信号を受信するセクタについて既知パイロット系列を用いてパイロット干渉除去プロトコルを行うこと、及び前記受信信号から選択された干渉符号系列を相殺するために選択干渉除去技術を実行するための命令である。該プロセッサは、パイロット干渉除去及び選択干渉除去を経た後の前記受信信号の少なくとも一部に基づいて、システム行列を生成するための命令、及び、前記システム行列について縮小されたシステム行列を生成するために高速アダマール変換を行うための命令をさらに実行してもよい。該プロセッサは、前記ユーザー装置について意図された前記受信信号における符号系列を評価するために、前記縮小されたシステム行列を処理することができる。
【００１３】
上述の関連する目的を達成するために、１つ又は複数の実施形態は、以下で十分に記載され、特許請求の範囲において特に指摘された特徴を具備する。以下の明細書及び添付の図面は、１つ又は複数の実施形態の例示の態様を詳細に説明している。しかしながら、これらの態様は、種々の実施形態の原理を採用できる種々の方法のわずか数例を示すものであって、開示の実施形態は、そのような態様及びその等価物をすべて含むことが意図される。
【図面の簡単な説明】
【００１４】
【図１】図１は、１つ又は複数の実施形態に従う多元アクセス無線通信システムの図である。
【図２】図２は、種々の態様に従って、ＣＤＭＡシステムにおける順方向リンクの干渉除去を容易にするシステムのハイレベルブロック図である。
【図３】図３は、ここで説明された１つ又は複数の態様に従って、ＧＭＵＤと共に選択干渉除去を容易にするシステムを示す。
【図４】図４は、種々の態様に従い、大きな行列の処理に関連する計算オーバーヘッドを縮小するための行列縮約を容易にするシステムの図である。
【図５】図５は、種々の態様に従って、パイロット干渉除去ならびにＴＤ−ＣＤＭＡ無線通信環境における総括ＭＵＤ受信機を利用する選択干渉除去を行うための方法の図である。
【図６】図６は、ここで説明された１つ又は複数の態様に従って、ＴＤ−ＣＤＭＡ無線通信環境における順方向リンク干渉除去のための方法を示す。
【図７】図７は、種々の態様に従い、干渉除去技術の組合せによってユーザー装置で受信された信号を処理するためのシステム行列を縮小するための方法の図である。
【図８】図８は、本明細書で説明された１つ又は複数の実施形態に従って、パイロット干渉除去ならびに、ＵＭＴＳ  ＴＤＤ無線通信環境における総括ＭＵＤ受信機を利用する選択干渉除去技術を行うことを容易にするユーザー装置の図である。
【図９】図９は、ここで説明された１つ又は複数の態様に従って、ＵＭＴＳ  ＴＤＤ無線通信環境におけるセクタ間干渉を軽減することを容易にするシステムの図である。
【図１０】図１０は、本明細書で説明された種々のシステム及び方法と共に用いることができる無線ネットワーク環境の図である。
【発明を実施するための形態】
【００１５】
種々の実施形態を図面を参照して説明する。ここでは、全体にわたって構成要素等を参照するために参照数字等を用いる。以下の明細書には、１つ又は複数の実施形態の一通りの理解が得られるように、説明を目的として幾多の具体的詳細が記載される。しかしながら、これら具体的詳細が無くとも、かかる実施形態を実施できることは明らかであろう。その他の例において、良く知られた構造及び装置については、１つ又は複数の実施形態の説明を容易にするために、ブロック図の形式で示す。
【００１６】
本願明細書で用いるような「コンポーネント」、「モジュール」、「システム」などの用語は、コンピュータ関連の実体、すなわちハードウェア、ファームウェア、ハードウェアとソフトウェアの組み合わせ、ソフトウェア又は実行中のソフトウェアのいずれかを指すことが意図される。例えば、コンポーネントはプロセッサ上の実行プロセス、プロセッサ、オブジェクト、実行ファイル、実行スレッド、プログラム、及び（又は）コンピュータであってもよいが、これらに限定されるものではない。１つ又は複数のコンポーネントがプロセス及び（又は）実行スレッド内に存在することができ、あるコンポーネントを１つのコンピュータに配置し、及び（又は）２台以上のコンピュータに分散配置してもよい。また、これらのコンポーネントは、諸データ構造を格納する種々のコンピュータ読取り可能な媒体から実行してもよい。該コンポーネントは、ローカルプロセス及び（又は）リモートプロセスとして、例えば１つ又は複数のデータパケット（例えば、ローカルシステム、分散型システムにおける別のコンポーネントと相互作用するコンポーネントからのデータ、インターネットのようなネットワークを経由する信号を手段として他システムと相互作用するコンポーネントからのデータ）を有する信号に従って通信を行ってもよい。
【００１７】
更にここでは、加入者局に関連して種々の実施形態を説明する。加入者局は、システム、加入者ユニット、モバイル局、モバイル、リモート局、アクセスポイント、リモート端末、アクセス端末、ユーザー端末、ユーザーエージェント、ユーザー装置又はユーザー機器と称してもよい。加入者局は、コードレス電話機、セッション設定プロトコル（ＳＩＰ）電話機、ワイヤレスローカルループ（ＷＬＬ）局、携帯情報端末（ＰＤＡ）、無線接続能力を持つハンドヘルド装置又は無線モデムに接続された他の制御演算装置であってもよい。
【００１８】
さらにここで説明された種々の態様又は特徴は、方法、装置、又は標準プログラミング及び（又は）エンジニアリング技術を用いて製品として、実装してもよい。ここでは用いられるような用語「製造品（ａｒｔｉｃｌｅ  ｏｆ  ｍａｎｕｆａｃｔｕｒｅ）」とは、任意のコンピュータ可読なデバイス、キャリア、又は媒体からアクセス可能なコンピュータプログラムを包含することが意図される。例えば、コンピュータ読取り可能な媒体は、磁気記憶装置（例えばハードディスク、フロッピー（登録商標）ディスク、磁気ストリップ…）、光ディスク（例えばコンパクトディスク（ＣＤ）（デジタルバーサタイルディスク（ＤＶＤ）…））、スマートカード及びフラッシュメモリデバイス（例えばカード、スティック、キードライブ…）を含みうるが、これらには限定されない。
【００１９】
図１は、１つ又は複数の実施形態に従う多元アクセス無線通信システム１００の図である。１セクタ基地局１０２は複数のアンテナグループを含み、一のグループはアンテナ１０４及び１０６を含んでおり、別のグループはアンテナ１０８及び１１０を含んでおり、第３のグループはアンテナ１１２及び１１４を含んでいる。図によれば、各アンテナグループについて２本のアンテナのみが示されるが、各アンテナグループについて、より多数又はより少数のアンテナが利用されてもよい。モバイルデバイス１１６はアンテナ１１２及び１１４と通信する。アンテナ１１２及び１１４は順方向リンク１２０上でモバイルデバイス１１６に情報を送信し、逆方向リンク１１８上でモバイルデバイス１１６から情報を受信する。モバイルデバイス１２２はアンテナ１０４及び１０６と通信する。アンテナ１０４及び１０６は順方向リンク１２６上でモバイルデバイス１２２に情報を送信し、逆方向リンク１２４上でモバイルデバイス１２２から情報を受信する。
【００２０】
各アンテナグループ、及び／又はこれらが通信を行うように指定されるエリアは、しばしば基地局１０２のセクタと呼ばれる。例示の実施形態において、アンテナグループは各々、基地局１０２によってカバーされるエリアのセクタにおいてモバイルデバイスと通信するように設計される。順方向リンク１２０及び１２６上の通信において、基地局１０２の送信アンテナは、種々のモバイルデバイス１１６及び１２２について、順方向リンクの信号対雑音比を向上するためにビームフォーミング技術を利用することができる。そのカバレッジエリアを介してランダムに散在するモバイルデバイスへの送信をするためにビームフォーミングを用いる基地局は、そのカバレッジエリアにおけるすべてのモバイルデバイスに単一のアンテナを通して送信をする基地局よりも、隣接するセル／セクタにおいてモバイルデバイスに対する干渉が小さい、基地局は、端末と通信するために用いられる固定局であってもよく、アクセスポイント、ＮｏｄｅＢ、又は他の何らかの用語で称することができる。モバイルデバイスについても、移動局、ユーザー機器（ＵＥ）、無線通信装置、端末、アクセス端末、ユーザー装置、又は他の何らかの用語で称することができる。ユーザー装置又はその他同種のものは、例えば本明細書で説明するように、携帯電話、スマートフォン、ラップトップ、ＰＤＡ、携帯型の通信装置、携帯型のコンピューティング装置、衛星ラジオ、全地球測位システム又は無線ネットワークに関して通信するための任意の他の適合するデバイスであってもよいことを当業者なら理解するであろう。
【００２１】
本明細書に示された種々の態様に従い、本明細書で提示されるシステム及び方法を用いて、ＣＤＭＡ通信環境（例えばｃｄｍａ２０００、…）におけるダウンリンク送信の音声キャパシティを向上することができる。例えば基地局１０２からのダウンリンク送信の音声データキャパシティは、マルチユーザー検出（ＭＵＤ）プロトコルと共にパイロット干渉除去（ＰＩＣ）スキームを実装することにより向上することができる。ランク縮約最小平均二乗誤差（ＭＭＳＥ）ＭＵＤ受信機のようなＭＵＤ受信機は、以下でより詳細に説明する通り、シンボル間干渉を軽減し、順方向リンク干渉除去に対処するためにＰＩＣプロトコルに利用することができる。
【００２２】
図２は、種々の態様に従って、ＣＤＭＡシステムにおける順方向リンクの干渉除去を容易にするシステム２００のハイレベルブロック図である。システム２００は、処理を要するウォルシュビンの数を減少するために既知パイロット系列に関連したエネルギーを減じることのできるフロントエンドパイロット干渉キャンセラー（ＰＩＣ）２０２を含むことができる。例えば、基地局から送信されるパイロット系列は既知であることから、受信信号ｒにおけるチャネルについてのエネルギーをＰＩＣ２０２によって推定することができ、該ＰＩＣ２０２は、かかるシーケンスを再構成して、それらを相殺するパイロット干渉除去を行い、出力信号ｙを生成する。信号ｙは、対象とする全セクタ間でＮ個の最大ウォルシュビンをキャンセルする総括ＭＵＤ（ＧＭＵＤ）２０４によって受信される。チャネル推定器２０６は、動作可能なようにＧＭＵＤ２０４につながれており、信号ｒを受信し、ＧＭＵＤ２０４に関してチャネルを推定するためのチャネル推定技術を実行する。ＧＭＵＤ２０４はＮ個の最大ウォルシュビンを選択することができ、該選択は、関連する行列反転に起因する実装制約の少なくとも一部に基いており、例えば、システム構造２００が用いられるユーザー装置における干渉を削減するために、選択されたウォルシュビンをキャンセルすることができる。
【００２３】
受信信号ｒのサンプルは空間及びチップドメインにおいて収集することができる。また、受信信号ｒは、システム行列Ｔｐによるパイロットチャネル（例えばウォルシュチャネル０）上のすべてのセクタからの既知の送信パイロットシンボルｐ、システム行列Ｔｄによるトラフィックチャネル上のアクティブユーザーについてのすべてのセクタからの未知の送信シンボルｄ、及び次のような付加的白色ガウス雑音源ｎ：
【数１】
2010521121.tif 000003
【００２４】
パイロットシンボルｐは既知であり、Ｔｐは推定できることから、ｒからＴｐｐを減じて次の通りｙを得ることができる。
【数２】
2010521121.tif 000004
【００２５】
ベクタｄにおけるすべてのセクタから送信されたすべてのシンボルを捕らえることから生じ得る複雑性の問題を克服するために、行列Ｔｄにおける列の数はＮに制限されることができる。例えば、そのようにすべてのシンボルを捕らえることを試みる場合、線形システムは不確定なものとなり得る（例えば、未知数をすべて解決できるためには、式の数が十分でない場合があり得る）。さらに、及び（又は）代わりに、式の数が未知数と等しい場合であっても、問題が生じる場合がある（例えば、１２８チップのウィンドウ上でｒが観測され、解を得るために１２８×１２８行列の逆行列を求めることが必要である場合）。しかし、そのような複雑なタスクを行うことに割付けられた処理リソースは、行列Ｔｄにおける列の数をＮに制限することにより、そのような計算に関連する処理オーバーヘッドを縮小することができる。
【００２６】
Ｎ列における列のサブセットＮｄは、特定のユーザー装置に関連する所望データに起因し得る。残りの列Ｎ−Ｎｄは、ユーザー装置から見てすべてのセクタを横切る最大のウォルシュビンを表すことに利用することができる。したがって、必要に応じて、ＧＭＵＤ２０４によって最も支配的なユーザー装置のみをキャンセルする必要があり、ＧＭＵＤ２０４は、そのような除去を容易にする選択干渉除去コンポーネント２０８に関連付けられる。
【００２７】
最終出力信号すなわち
【数３】
2010521121.tif 000005
【００２８】
は、ＧＭＵＤ２０４により例えば最小二乗法よって次のように生成することができる。
【数４】
2010521121.tif 000006
【００２９】
あるいは、ＧＭＵＤ２０４によって最小平均二乗誤差技術を次のように行ってもよい。
【数５】
2010521121.tif 000007
【００３０】
但し、ＴはＮ列のみを含む行列であり、σ２は、ＴｄをＴに縮小する結果として生じる熱雑音及び未解明の干渉の分散を表す。
【００３１】
ＰＩＣ２０２によって行われるパイロット干渉除去に関して、各セクタのパイロットチャネルとの相関の少なくとも一部に基づいて、各セクタｊの複素チャネルインパルス応答ｈｋ（ｊ）を推定するチャネル推定が行われ得る。これには、式（２）に関して例示したように、合計受信信号から、全セクタの全パイロットチャネルからの影響を除くことが必要である。行列Ｔｐの各列ｊは、チャネルインパルス応答ｈｋ（ｊ）とともに畳み込まれる拡散符号ｃｋ（ｊ）を表す。したがって、水平成分Ｔｐは、チャネルインパルス応答継続時間に起因する多少の成長を示す場合がある。例えば、１２８の送信チップに対応するデータを処理するにあたっては、各チャネル応答についての遅延プロファイルは最高２０チップにまで及び、Ｔｐの行次元は最高１４８チップを持つことがあり、列次元はｊと等しくなりえる。但し、ｊは、検討しているセクタの合計数を表す。異なるセクタからのすべてのパイロットシンボルが同じ値を持つことがあり得ることから、列Ｔｐを合計することができ（例えば、これは動作Ｔｐｐに相当する）、ｒから減じて次のようにＰＩＣ２０２からの出力信号ｙを得ることができる。
【数６】
2010521121.tif 000008
【００３２】
図３は、ここで説明された１つ又は複数の態様に従って、ＧＭＵＤと共に選択干渉除去を容易にするシステム３００を示す。例えば、図２に関して説明したものと同様のＧＭＵＤシステムは、ユーザー装置（例えばシステムが用いられるユーザー装置）の、当該ユーザー装置に起因する行列の列からなる所望データを復号するために用いることができる。ユーザー装置に関連する列Ｎｄの数は、該ユーザーが多数の異なるセクタとのソフトハンドオフ状況にあるか否かによらず常に一定であることを理解されたい。これは、異なるセクタから送信されるデータは同じであることによる。したがって、すべてのソフトハンドオフセクタからの情報に関連する列を合計し、すべてのそのような列の合計を表す、選抜された列に置き換えることができる。これを、次の単純化された例によって例示する。
【数７】
2010521121.tif 000009
【００３３】
１２８チップのタイムウィンドウ（例えば１０ｍｓ継続時間の典型的な無線フレームにおける、およそ３３．３５マイクロセカンド）上で所望ユーザー装置に送信されるシンボルの数は、１２８／ＳＦｄｅｓｉｒｅｄ＿ｕｓｅｒに等しい。ここでＳＦｄｅｓｉｒｅｄ＿ｕｓｅｒは所望ユーザー装置についての拡散因子である。また、この数は、行列Ｔにおいて所望ユーザー装置に帰属する列の数に等しい。例えば、所望ユーザー装置が４つの拡散因子を持つ場合、行列Ｔには、所望ユーザー装置に帰属する３２の列が存在する（例えば１２８／４＝３２）。この列は、長さＳＦｄｅｓｉｒｅｄ＿ｕｓｅｒの各符号系列（例えばｃｋ（０）を乗算したウォルシュ符号ｗｋ）をｈｋ（ｊ）により畳み込み、その後、所望ユーザー装置のシンボルのためのトラフィック対パイロット（Ｔ２Ｐ）推定によって各列を基準化することにより生成することができる。Ｔ２Ｐ推定は、所望ユーザー装置として指定された信号のデータ部分に関連するエネルギーレベルと、それに割当てられたパイロットのためのエネルギーレベルとの比である。
【００３４】
行列Ｔの残りのＮ−Ｎｄ列は、完全なシステム行列の生成を容易にするために生成することができる。他のトラフィックチャネルについての拡散符号は当該所望ユーザー装置にとって未知であるので、図３において示されるように、各セクタに関連するウォルシュビンにおいてエネルギーを評価する。そのような推定は、各セクタの拡散符号ｃｋ（ｊ）により受信信号を逆拡散し、続いて、該信号に高速アダマール変換（ＦＨＴ）を適用することを含んでもよい。例えば、第一セクタ３０２の拡散符号は、逆拡散コンポーネント３０８によって逆拡散することを容易にするために用いることができる。ＦＨＴコンポーネント３１０による信号変換はそれに続くことができる。同様に、逆拡散及びＦＨＴ手順は、第二セクタ３０４からＬ番目セクタまでについて、逆拡散コンポーネント３１２及び３１６、ＦＨＴコンポーネント３１４及び３１８によってそれぞれ行うことができる。ここで、Ｌは、特定のユーザー装置が信号を受信するセクタの合計数を表す整数である。
【００３５】
逆拡散され、変換された各信号に関連するエネルギーがソートされ、また、Ｎ−Ｎｄの最大エネルギー（例えば、最大セクタ／トラフィックウォルシュチャネルを表す）が、除去のために選択されることができる。選択されたＮ−Ｎｄ符号（例えば長さが１２８のチップ）は、対応するチャネルインパルス応答に畳み込まれ、行列Ｔの列として取り扱われるそれぞれのＴ２Ｐ推定によって基準化されることができる。さらに、前回の１２８チップブロックからのパイロット及びデータシンボルに関係するセクタ間干渉を、信号の続く１２８チップのブロックに関して捕らえ、、そのような影響を、Ｔｐ及びＴの列の（例えば遅延プロファイルと等しい長さの）初期部にそれぞれ加えることができる。
【００３６】
図４は、種々の態様に従い、大きな行列の処理に関連する計算オーバーヘッドを縮小するための行列縮約を容易にするシステム４００の図である。第一行列４０２は、水平次元が１２８チャネル、垂直次元が１２８チップを表す１２８×１２８行列として示される。上述したように、ＣＤＭＡシステムにおけるダウンリンク上の音声キャパシティを向上するためにシステム行列４０２を単純化することにより、処理オーバーヘッドを削減することができる。ユーザー装置が基地局から信号を受信している場合、該ユーザー装置は隣接セルから干渉を受けることがある。パイロット系列はユーザー装置にとって既知であることから、上記はＭＵＤ受信機と共に本明細書で説明されるパイロット干渉除去技術を用いることにより緩和される場合がある、残りのチャネルの信号強度推定に基いて、最大チャネルのサブセット（例えばユーザー装置で恐らく最も干渉を引起しているチャネル）を選択することができる。例えば、８つのチャネルが他のチャネルよりも実質的に強い場合、１２８×１２８システム行列４０２を８×１２８行列に縮小することができる。アダマール変換を行った後に、かかる行列をさらに８×８行列に縮小することができる。この場合、１２８×１２８行列を処理する場合よりもはるかに計算コストを低減することができる。このように、パイロット干渉除去と、これに続く選択干渉除去の組合せによって、処理オーバーヘッドを削減することができる。
【００３７】
図５−図７を参照すると、方法は、順方向リンク干渉除去を行うこと、及びセクタ間干渉等化の解決に関する。例えば、方法は、ＵＭＴＳ  ＴＤＤ無線環境、ＯＦＤＭ環境、ＯＦＤＭＡ環境、ＣＤＭＡ環境、ＴＤＭＡ環境、ＴＤＤ環境、ＳＤＭＡ環境、あるいは任意の他の適合する無線環境におけるＭＵＤ受信機と共にパイロット干渉除去を用いることに関し得る。説明の簡単化のために、方法を一連のアクトとして示すが、該方法はアクトの数又は順序で限定的ではなく、いくつかのアクトが、一つ又は複数の実施形態に従い、ここで示され説明される他のアクトとは異なる順序で生じ、及び（又は）同時に生じてもよいことが理解され、了解されるであろう例えば当業者であれば、方法は、状態遷移図でのように相互に関係する一連の状態またイベントとして代替的に表わすことができるかもしれないことを理解し認識するであろう。また、１つ又は複数の実施形態に従って方法を実装するために、示されるアクトのすべてが必ずしも必要であるとは限らない。
【００３８】
図５は、種々の態様に従って、パイロット干渉除去ならびにＴＤ−ＣＤＭＡ無線通信環境における総括ＭＵＤ受信機を利用する選択干渉除去を行うための方法５００の図である。５０２では、例えば携帯電話、スマートフォン、ＰＤＡ、ラップトップ、無線能力を備えたＰＣ、携帯型の通信装置、携帯型のコンピューティング装置又は任意の他の適合するユーザー装置のようなユーザー装置で信号が受信される。５０４では、受信信号におけるパイロット系列を評価し、ユーザー装置に関して意図された送信データを評価するために処理され得るシステム行列サイズの縮小を容易にするためにキャンセルする。例えば、ユーザー装置に送信する１つ又は複数のセクタに関連するパイロット系列は該ユーザー装置にとって既知であり、そのようなパイロット系列を評価し、それらを再構成することができる。再構成されたシーケンスに関連するエネルギーは、５０４でパイロット干渉除去を行うために受信信号から減じられる。
【００３９】
５０６では、行列を処理する前にさらにシステム行列を縮小するために選択干渉除去が行われ得る。これは同様に、該行列の処理に関連する計算オーバーヘッドの削減を容易にする。例えば、初期行列を、サイズが１２８のチップによる１２８チャネルとする。一例によると、（例えば図２及び図３に関して説明したような）一連のアクトを通じて、受信信号において６つのチャネルが他の受信チャネルより実質的に大きなレベルの干渉を引起していることが判定される。そのような場合、あるブロックについてのシステム行列は１２８チップによって６つのチャネルに縮小されることができる。これは、１２８×１２８行列を処理するより極めて安上がりである。したがって、パイロット干渉除去と、続く選択干渉除去との組合せによって、ユーザー装置における処理必要条件を大幅に削減することができる。
【００４０】
図６は、ここで説明された１つ又は複数の態様に従って、ＴＤ−ＣＤＭＡ無線通信環境における順方向リンク干渉除去のための方法６００を示す。６０２では、ユーザー装置で信号が受信され、システム行列サイズの縮小を容易にするために、該受信信号におけるパイロット系列が評価され、キャンセルされる。例えば、ユーザー装置に送信するセクタに関連するパイロット系列はユーザー装置にとって既知であり、そのようなパイロット系列を評価し再構成することができる。６０２では、再構成された系列に関連するエネルギーが、該受信信号から減じられ、パイロット干渉除去が行われる。６０４では、行列を処理する前にさらにシステム行列を縮小するために、選択干渉除去が行われ得る。これは同様に、該行列の処理に関連する計算上のオーバーヘッドを縮小することを容易にする。例えば、初期行列のサイズを１２８×１２８として、受信信号ｙにおけるいくつかのチャネルが、他の受信されたチャネルより実質的に大きなレベルの干渉を引き起こしていることの判定がなされる。そのような場合、あるブロックについてのシステム行列を１２８チップによりＹチャネルに縮小することができる。これは、１２８×１２８行列を処理するより極めて安上がりである。
【００４１】
６０６では、Ｙ×１２８行列をＹ×Ｙの行列サイズにさらに縮小するために、高速アダマール変換（ＦＨＴ）が行われ得る。６０８では、縮小されたＹ×Ｙ行列を、方法６００が用いられるユーザー装置に関して意図された信号情報の復号を容易にするために処理する。オリジナルの１２８×１２８行列よりサイズがより小さいＹ×Ｙ行列は、該オリジナルの行列を処理するよりもはるかに安価である。これは、処理速度を向上し、順方向リンクに対する処理オーバーヘッドの削減を容易にすることができる。したがって、１２８チップシステム行列によるオリジナルの１２８チャネルを、受信信号へのパイロット寄与分をキャンセルし、該受信信号に寄与する選択干渉をキャンセルし、半縮約された行列についてＦＨＴを行って信号が受信されるユーザー装置について意図された受信データを復号するための処理用に縮小された行列を生成することにより、縮小することができる。
【００４２】
図７は、種々の態様に従い、干渉除去技術の組合せによってユーザー装置で受信された信号を処理するためのシステム行列を縮小するための方法７００の図である。７０２では、ユーザー装置が信号を受信している各セクタに関連したチャネルを推定することができる。チャネル推定は、当業者によって理解される通り、サーチャー、フィンガーなどを利用して行うことができる。７０４では、それぞれのセクタについてのチャネル推定によってＬ個の１２８チップ系列符号を畳み込むことができる。ここでＬは、ユーザー装置が信号を受信するセクタの数を表す。７０６では、Ｌの畳込の出力をアグリゲートする（例えば、合計する）。この合計を受信信号ベクトルｒから減じる。
【００４３】
７０８では、全セクタについてウォルシュビンに関連したエネルギーを評価しランク付けする。ユーザー装置符号系列は、（例えばここで、あるユーザー装置の符号系列の数は、当該ユーザー装置のための拡散因子で除算することにより１２８に等しい）７１０において各セクタについてのチャネル推定に畳み込むことができる。７１２では、残りの符号系列（例えば問題としているユーザー装置に関して意図されない符号系列）をそれぞれのセクタチャネル推定に畳み込む。７１４では、ＭＭＳＥ推定を評価して、
【数８】
2010521121.tif 000010
【００４４】
の値を決定する。かかる評価に関連する複雑さは、システム行列Ｔ（例えばＮ列）における列の数と相関があり得る。必要に応じて、アクト７０４−７１４は１２８チップごと（例えば３３．３５マイクロセカンドごと，・・・）に行われ得ることを理解されたい。
【００４５】
本明細書で説明された１つ又は複数の実施形態及び／又は方法に従って、選択干渉除去等に関して推論がなされ得ることを理解されたい。本明細書で用いる用語「推論する」又は「推論」は、一般に、推論するプロセスのことをいい、あるいは、イベント及び／又はデータを通じて捕えられるような１セットの観測から、システム、環境、及び／又はユーザーの状態を推定することをいう。推論は、特定のコンテキスト又はアクションを識別するために用いることができ、あるいは、例えば状態に関する確率分布を生成することができる。推論は確率的であり得、データとイベントの考察に基いて、関心状態に関する確率分布を計算することであり得る。推論とは、一連のイベント及び／又はデータから、より高いレベルのイベントを構成するのに用いられる技術のことであるとも言える。そのような推論は、イベント群が一時的に近接して相関するかどうか、及び、イベント群及びデータが、１つ又はいくつかのイベント及びデータソースから由来したものかどうかによらず、観測された一連のイベント、及び／又は記憶されたイベントデータからの新規のイベント又はアクションの構築をもたらす。
【００４６】
一実施例に従い、以上で提示された１つ又は複数の方法は、セクタ間干渉等化の提供を容易にすることを目的として、キャンセルすべき支配的な干渉の数に関する推論をなすことを含む。さらにこの実施例に従い、信号が受信されるユーザー装置以外のユーザー装置に関連付けられる多数のチャネルが、所定の許容レベルよりも高いレベルで干渉を引き起こしていることが判定されてもよい。上記シナリオでは、そのようなユーザー装置に関連するチャネルのキャンセルが、許容域内に干渉レベルを戻すことの推論がなされてもよい。そのような推論の少なくとも一部に基づいて、指定の干渉チャネルを、本明細書で説明された１つ又は複数の技術に従ってキャンセルすることができ、ユーザー装置は、低減された干渉レベルを享受しつつ、意図された情報を処理し、及び／又は復号に進むことができる。先の例は、あくまでも例示であって、本明細書で提示した種々のシステム及び／又は方法に関連して推論がなされる方法、又は、なされる推論の数を限定することは意図していないことを理解されたい。
【００４７】
図８は、本明細書で説明された１つ又は複数の実施形態に従って、パイロット干渉除去ならびに、ＵＭＴＳ  ＴＤＤ無線通信環境における総括ＭＵＤ受信機を利用する選択干渉除去技術を行うことを容易にするユーザー装置８００の図である。ユーザー装置８００は、図２に関して述べたような受信信号に対するパイロットチャネルの影響をキャンセルすることができるパイロット干渉キャンセラー８０２を含む。ユーザー装置８００は、例えば受信アンテナから信号を受信し、受信信号について典型的な動作（例えば、フィルター処理し、増幅し、ダウンコンバートするなど）を行い、この整えられた信号をデジタル化してサンプルを得るＭＵＤ受信機８０４をさらに含む。ＭＵＤ受信機８０４が複数ユーザーの検出を容易にすることができることを当業者なら理解するであろう。ＭＵＤ受信機８０４は、を容易にすることができる復調器８０６を含むことができる。先の例及び／又は図に関して述べた通り、復調されたデータシンボル、すなわちｄＭＭＳＥ（及び／又はｄＬＳ）の出力（これは、プロセッサ８０８によって分析される）ＭＵＤ受信機８０４は、先の図ならびに上述したシステム及び方法に関して述べたように、ユーザー装置８００が信号を受信するいくつかのセクタＬについてチャネルを推定するチャネル推定器８１６に対して動作可能なように接続されることができる。
【００４８】
プロセッサ８０８は、ＭＵＤ受信機８０４によって受信された情報の分析及び／又は送信機８１４による送信のための情報の生成のために設けられるプロセッサ、ユーザー装置８００の１つ又は複数のコンポーネントを制御するプロセッサとすることができ、及び／又はＭＵＤ受信機８０４によって受信された情報を分析し、送信機８１４による送信のための情報を生成し、ユーザー装置８００の１つ又は複数のコンポーネントを制御するプロセッサとすることができる。ユーザー装置８００は、プロセッサ８０８に対して動作可能なようにつながれ、パイロット系列、干渉除去技術などに関係する情報を記憶するメモリ８１０をさらに含むことができる。メモリ８１０は、さらに、セクタアイデンティティ、それらに用いられるパイロット、行列縮約プロトコル、アダマール変換技術などに関連する情報を記憶することができ、これによりユーザー装置８００は、記憶されたプロトコル及びアルゴリズム、及び／又は順方向リンク干渉等化を容易にする情報及びここで説明したように計算オーバーヘッドを削減するシステム行列縮約を用いることができる。
【００４９】
本明細書で説明されたデータ格納（例：メモリ）コンポーネントは、揮発性メモリ又は不揮発性メモリのいずれかであってもよく、揮発性メモリ及び不揮発性メモリの両者を含んでもよいことが理解されるであろう。限定ではなく実例として、不揮発性メモリは、読み取り専用メモリ（ＲＯＭ）、プログラマブルＲＯＭ（ＰＲＯＭ）、ＥＰＲＯＭ（ＥＰＲＯＭ）、ＥＥＲＯＭ（ＥＥＰＲＯＭ）又はフラッシュメモリを含んでもよい。揮発性メモリはランダムアクセスメモリ（ＲＡＭ）を含み、外部キャッシュメモリとして働く。限定ではなく実例として、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、Ｓｙｎｃｈｌｉｎｋ  ＤＲＡＭ（ＳＬＤＲＡＭ）及びダイレクトＲａｍｂｕｓＲＡＭ（ＤＲＲＡＭ）のような様々な形式が利用可能である。本主題のシステム及び方法におけるメモリ８１０は、これら及び他の任意の適合する型のメモリを含むことが意図されるが、これらには限定されない。
【００５０】
ユーザー装置８００は、信号を変調するシンボル変調器８１２と、プロセッサ８０８によって生成された変調信号を基地局（示されない）に送信する送信機８１４とをさらに含む。このように、ユーザー装置８００は、パイロット干渉除去を、ＵＭＴＳ  ＴＤＤ通信環境におけるＭＵＤ受信機によって行われる選択干渉除去技術と共に用いることができ、計算オーバーヘッドを縮小しユーザー装置８００によって経験された干渉を最小化することができる
図９は、ここで説明された１つ又は複数の態様に従って、ＵＭＴＳ  ＴＤＤ無線通信環境におけるセクタ間干渉を軽減することを容易にするシステム９００の図である。システム９００は、送信アンテナ９０６及び受信アンテナ９０８によって１つ又は複数のユーザー装置９０４と通信する基地局９０２を含むが、種々の態様に関連して、複数の送信及び受信アンテナが用いられてもよい。基地局９０２は、受信アンテナ９０８から情報を得て、受信された情報を復調する復調器９１２と動作可能に関連付られる、ＭＵＤ受信機のような受信機９１０を含む。復調されたシンボルは、図８に関して上記説明されたプロセッサと同様のプロセッサ９１４によって分析することができ、該プロセッサ９１４は、ユーザー装置９０４に関する情報、該ユーザー装置９０４により用いられ、及び／又は基地局９０２ならびにユーザー装置９０４に送信する他の基地局利用されるパイロット系列、干渉除去プロトコル、及び／又はここで説明したような干渉除去を基地局９０２が容易できるようにすることに関係する任意の他の適合する情報を格納するメモリ９１６につながれる。
【００５１】
さらにレシーバ９１０は、基地局９０２における変調器９２２及び／又は送信機９２４が、通信信号を適切に変調し、送信アンテナ９０６を介してユーザー装置９０４に送信するための信号処理などを容易にするため、受信した送信における１つ又は複数のチャネルの推定を提供することができるチャネル推定器９１８につながれる。さらに、受信機９１０は、図２に関して説明されたＰＩＣコンポーネントと同様のＰＩＣコンポーネント９２０に動作可能なようにつながれる。これは、基地局９０２が送信を行っているユーザー装置から承諾しがたいレベルの干渉を受けている場合のパイロット干渉除去を容易にするものである。したがって、本明細書の大部分では順方向リンクについての干渉等化に関連して種々の態様を説明しているが、以上述べられたシステム及び方法は、逆方向リンクについての処理オーバーヘッドを同様に縮小することを容易にするために、基地局で用いることができる。
【００５２】
図１０は例示の無線通信システム１０００を示す。簡潔さの便宜上、無線通信システム１０００では、１つの基地局及び１つの端末が示されている。しかしながら、該システムは、２以上の端末及び／又は２以上の基地局を含んでもよいことを理解されたい。ここで、追加の基地局及び／又は端末は、以下で説明される例示の基地局及び端末と実質的に同様のものでもよいし、これらとは異なるものであってもよい。更に、基地局及び／又は端末は、これらの間の無線通信を促進するため、本明細書で説明されるシステム（図１−図４及び図８−図９）及び／又は方法（図５−図７）を用いてもよいことを理解されたい。
【００５３】
今図１０を参照すると、ダウンリンクについて、アクセスポイント１００５では、送信（ＴＸ）データプロセッサ１０１０がトラフィックデータを受信し、フォーマットし、符号化し、インタリーブし、変調する（あるいはシンボルマップし）、変調シンボル（「データシンボル」）を提供する。シンボル変調器１０１５は該データシンボル及びパイロットシンボルを受信して処理し、シンボルストリームを提供する。シンボル変調器１０２０はデータ及びパイロットシンボルを多重化し、これらを送信機ユニット（ＴＭＴＲ）１０２０に提供する。各送信シンボルは、データシンボル、パイロットシンボル、又は信号値ゼロであるかもしれない。パイロットシンボルは、各シンボル期間において継続的に送信されてもよい。パイロットシンボルは、周波数分割多重化されてもよく（ＦＤＭ）、直交周波数分割多重化されてもよく（ＯＦＤＭ）、時分割多重化されてもよく（ＴＤＭ）、周波数分割多重化されてもよく（ＦＤＭ）、あるいは符号分割多重化されてもよい（ＣＤＭ）。
【００５４】
ＴＭＴＲ１０２０は、シンボルストリームを受信して１つ又は複数のアナログ信号に変換し、さらに該アナログ信号を整え（例えば、増幅し、フィルター処理し、及び周波数アップコンバートする）、無線チャネル上の送信に適するダウンリンク信号を生成する。その後、ダウンリンク信号はアンテナ１０２５を通して端末へ送信される。端末１０３０では、アンテナ１０３５が該ダウンリンク信号を受信し、受信機ユニット（ＲＣＶＲ）１０４０に受信信号を提供する。受信機ユニット１０４０は、該受信信号を整え（例えば、フィルター処理し、増幅し、及び周波数ダウンコンバートする）、該信号をデジタル化してサンプルを得る。シンボル復調器１０４５は、受信パイロットシンボルを復調し、チャネル推定のためにプロセッサ１０５０に提供する。さらにシンボル復調器１０４５は、ダウンリンクについての周波数レスポンス推定をプロセッサ１０５０から受信し、受信データシンボルについてデータ復調を行ってデータシンボル推定（それらは送信データシンボルの推定である）を得て、該データシンボル推定をＲＸデータプロセッサ１０５５に提供する。該ＲＸデータプロセッサ１０５５は、該データシンボル推定を復調（つまりシンボルデマップ）し、デインターリーブし、復号して送信されたトラフィックデータを回復する。シンボル復調器１０４５及びＲＸデータプロセッサ１０５５による処理は、それぞれ、アクセスポイント１００５におけるシンボル変調器１０１５及びＴＸデータプロセッサ１０１０による処理と相補的である。
【００５５】
アップリンクに対して、ＴＸデータプロセッサ１０６０はトラフィックデータを処理し、データシンボルを提供する。シンボル変調器１０６５は、データシンボルを受信し、パイロットシンボルにより該データシンボルを多重化し、変調を行ってシンボルストリームを提供する。その後、送信機ユニット１０７０は、該シンボルのストリームを受信して処理し、アクセスポイント１００５に対してアンテナ１０３５によって送信されるアップリンク信号を生成する。
【００５６】
アクセスポイント１００５では、端末１０３０からのアップリンク信号はアンテナ１０２５によって受信され、サンプルを得るために受信機ユニット１０７５によって処理される。その後、シンボル復調器１０８０は該サンプルを処理し、アップリンクの受信パイロットシンボルとデータシンボル推定を提供する。ＲＸデータプロセッサ１０８５は、データシンボル推定を処理し、端末１０３０によって送信されたトラフィックデータを回復する。プロセッサ１０９０は、アップリンク上で送信を行っている個々のアクティブな端末に関してチャネル推定を行う。複数の端末は、アップリンク上の、それぞれに割当てられたパイロットサブバンドのセット上でパイロットを同時に送信することができる。この場合、パイロットサブバンドセットを組合せてもよい。
【００５７】
プロセッサ１０９０及び１０５０は、アクセスポイント１００５及び端末１０３０の動作をそれぞれ指令する（例えば、制御し、調整し、管理する等）。プロセッサ１０９０及び１０５０にはそれぞれ、プログラムコードとデータを記憶する記憶装置（図示しない）が関連付けられる。プロセッサ１０９０及び１０５０は、アップリンク及びダウンリンクのそれぞれについて、周波数及びインパルス応答推定を得るための計算を行うことができる。
【００５８】
多元接続システム（例えばＦＤＭＡ、ＯＦＤＭＡ、ＣＤＭＡ、ＴＤＭＡなど）では、複数の端末がアップリンク上で同時に送信することができる。そのようなシステムについては、パイロットサブバンドが異なる端末間で共有されてもよい。チャネル推定技術は、各端末のパイロットサブバンドが動作帯域全体（場合により帯端を除いて）にまたがる場合に用いられてもよい。そのようなパイロットサブバンド構造は、各端末が周波数ダイバーシチを得るのに望ましい。
【００５９】
ここで説明された技術は、種々の手段によって実装されてもよい。例えば、これらの技術はハードウェア、ファームウェア、ソフトウェア又はそれらの組み合わせで実装されてもよい。ハードウェア実装について、チャネル推定に用いられる処理ユニットは、１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、電子機器、ここに説明された機能を実行するように設計された他の電子ユニット、コンピュータ、又はそれらの組み合わせの範囲内で実装されてもよい。ソフトウェアについては、本明細書で説明された機能を実行するモジュール（例えばプロシージャ、関数など）によって実装することができる。ソフトウェアコードはメモリユニットに格納し、プロセッサ１０９０及び１０５０によって実行することができる。
【００６０】
ソフトウェア実装については、本明細書で説明された技術は、本明細書で説明された機能を実行するモジュール（例えばプロシージャ、関数など）に実装することができる。ソフトウェアコードをメモリユニットに格納し、プロセッサによって実行することができる。メモリユニットはプロセッサ内に実装してもよいし、プロセッサ外部のものとしてもよい。その場合には、当該技術分野において知られる種々の手段によりプロセッサに対して通信可能に結合してもよい。
【００６１】
以上説明した事項は、一又は複数の実施形態の例を含んでいる。当然ながら、前述の実施形態を説明する目的のために、コンポーネント又はメソドロジの考えられる組合せをすべて説明することはできない。しかし、当業者であれば、多くのさらなる組合せ及び種々の実施形態の置換が可能であることを認識することができる。従って、説明された実施形態は、添付の特許請求の精神及び範囲に含まれる変更、修正及び変形のすべてを包含することが意図される。さらに、用語「含む（ｉｎｃｌｕｄｅ）」が詳細な説明又はクレームのいずれかで用いられる限りにおいて、この用語は、クレームで遷移語として使用され、「具備する（ｃｏｍｐｒｉｓｉｎｇ）」が解釈される場合の用語「具備する」と同様に、包括的であることが意図されている。
【図１】
2010521121.tif 000011
【図２】
2010521121.tif 000012
【図３】
2010521121.tif 000013
【図４】
2010521121.tif 000014
【図５】
2010521121.tif 000015
【図６】
2010521121.tif 000016
【図７】
2010521121.tif 000017
【図８】
2010521121.tif 000018
【図９】
2010521121.tif 000019
【図１０】
2010521121.tif 000020
【国際調査報告】
2010521121.tif 000021
2010521121.tif 000022
2010521121.tif 000023
2010521121.tif 000024
2010521121.tif 000025
2010521121.tif 000026